(57)【特許請求の範囲】
【請求項１】
画像データ及び当該画像データの撮影時の日付情報を記憶する画像記憶手段と、
前記画像データに関係した人物の年齢に関する年齢関係情報を記憶する記憶手段と、
前記年齢関係情報に含まれる生年月日と前記日付情報とを使用して、前記画像データの撮影時における前記人物の学年情報を算出する学年情報生成手段と、
前記画像データと共に、前記学年情報を出力する出力手段とを具備したことを特徴とする画像処理装置。
【請求項２】
前記学年情報生成手段により算出された前記学年情報を、入力指示に応じて補正するための学年補正手段を有することを特徴とする請求項１に記載の画像処理装置。
【請求項３】
前記学年補正手段は、補正した前記学年情報に基づいて、当該人物に関係する全画像データの学年情報を補正する手段を有することを特徴とする請求項２に記載の画像処理装置。
【請求項４】
前記学年補正手段による補正を禁止して、設定された学年情報を確定するための手段を有することを特徴とする請求項３に記載の画像処理装置。
【請求項５】
画像データ及び当該画像データの撮影時の日付情報を記憶する画像記憶手段と、
前記画像データに関係した人物の年齢に関する年齢関係情報を記憶する記憶手段と、
前記年齢関係情報と前記日付情報とを使用して、前記画像データの撮影時における前記人物の学年情報を算出する算出手段と、
前記算出手段により算出された学年情報に基づいた学年区分で画像データを分類管理する管理手段とを具備したことを特徴とする画像処理装置。
【請求項６】
記憶媒体から画像データ及び当該画像データの撮影時の日付情報を読出す読出し手段と、
前記記憶媒体から選択した画像データに関係付けして入力した学年情報と前記日付情報とから、前記記憶媒体に記憶された他の画像データに関連付けされる学年情報を算出する算出手段と、
画像データと共に前記学年情報を出力する出力手段とを具備したことを特徴とする画像処理装置。
【請求項７】
前記算出手段は、前記学年情報を算出するときに、学年を切換える条件を設定し、かつ当該切換え条件を変更する手段を有することを特徴とする請求項６に記載の画像処理装置。
【請求項８】
前記切換え条件は、学年の切換え基準となる月日を示す情報であることを特徴とする請求項７に記載の画像処理装置。
【請求項９】
画像データ及び当該画像データの撮影時の日付情報を記憶する画像記憶手段と、
前記画像データに関係した人物の年齢に関する年齢関係情報を記憶する記憶手段とを備えた画像処理装置に設けられたコンピュータにより読取可能な記憶媒体であって、
前記年齢関係情報に含まれる生年月日と前記日付情報とを使用して、前記画像データの撮影時における前記人物の学年情報を算出する処理と、
前記画像データと共に前記学年情報を出力する処理とを、前記コンピュータが実行するように設定されたプログラムを記憶した記憶媒体。
【発明の詳細な説明】
【０００１】
【発明の属する技術分野】
本発明は、例えば電子カメラなどのディジタル撮像装置により撮影した画像データを再生出力する機能を有する画像処理装置に適用し、特に撮影された画像データを保存管理する機能を備えた画像処理装置に関する。
【０００２】
【従来の技術】
近年、被写体を電子的（ディジタル）撮像機能により画像データに変換して、当該画像データを記録媒体に記録する電子カメラが普及している。電子カメラは、ディジタルカメラとも呼ばれている電子スチールカメラ以外に、ディジタルビデオカメラも含む。但し、具体例として電子スチールカメラを想定する。
【０００３】
ところで、電子カメラにより撮影された画像データ（ディジタル画像データ）は、通常ではメモリカードやディスク記録媒体などの記録媒体により保存される。記録媒体には、画像データだけでなく、撮影日付や撮影場所などの付加的情報も記録される。一般的には、ユーザは、記録媒体毎に撮影した画像データを保存し、かつ管理することになる。
【０００４】
しかしながら、記録媒体の枚数が増大すると、記録媒体毎に画像データを管理することは困難になる。そこで、撮影した画像データを保存し、且つ管理するための電子アルバム機能とも呼ぶべき機能を備えた画像処理装置が提案されている。この装置は、記録媒体を着脱できるインターフェースを有し、当該記録媒体から読出した画像データを再生出力するＬＣＤ、テレビジョン装置、またはパーソナルコンピュータなどに出力する出力装置を備えている。なお、当該画像処理装置としては、前記の電子アルバム機能を内蔵している電子カメラや、また電子アルバム機能に相当する専用のアプリケーション・ソフトウエアをセットしたパーソナルコンピュータも含まれる。
【０００５】
【発明が解決しようとする課題】
電子アルバム機能を有する画像処理装置は、ユーザが指定した画像データを再生出力するときに、当該画像データに関連する日付情報などの付加情報も同時に出力できることが望ましい。この付加情報において、単なる日付情報だけでなく、ユーザの履歴情報に相当する情報が含まれていれば、画像データを管理する上で非常に便利である。このような観点から、再生する映像データに、撮影されている人物の年齢データを合成して出力する再生装置が提案されている（例えば特開平９−１３０７５２号公報を参照）。
【０００６】
ところで、特にユーザの履歴に関する画像や、また子供の成長に伴う画像記録の管理では、単なる年齢だけでなく、履歴内容を具体的に認識できる情報が望ましい。具体的には、学校時代の画像には、いわゆる学年（例えば小学校１年生など）の表示の方が、撮影日付や年齢よりも具体性がある。しかし、学年などの履歴情報を、ユーザが画像データ毎に入力する作業は、計算処理などを伴うため、かなり面倒である。
【０００７】
そこで、本発明の目的は、画像データを再生出力する機能を備えた画像処理装置において、画像データ毎にユーザの履歴内容を具体的に表示できる情報を、面倒な入力作業を要すること無く自動的に生成できるようにして、画像データの管理に有効な再生出力機能を提供することにある。
【０００８】
【課題を解決するための手段】
本発明の観点に従った画像処理装置は、画像データ及び当該画像データの撮影時の日付情報を記憶する画像記憶手段と、前記画像データに関係した人物の年齢に関する年齢関係情報を記憶する記憶手段と、前記年齢関係情報に含まれる生年月日と前記日付情報とを使用して、前記画像データの撮影時における前記人物の学年情報を算出する学年情報生成手段と、前記画像データと共に、前記学年情報を出力する出力手段とを備えた構成である。
【００１１】
【発明の実施の形態】
以下図面を参照して、本発明の実施の形態を説明する。
【００１２】
（画像処理装置の構成）
本発明の各実施形態は、図１に示すように、画像の再生出力機能と管理機能とを合わせた電子アルバム機能を有する画像処理装置を想定する。
【００１３】
本装置は、図１に示すように、大別して制御系２、記録系３、及び出力系４から構成されている。制御系２は、第１のＣＰＵ（マイクロプロセッサ１）２０、第２のＣＰＵ（マイクロプロセッサ２）２１、フレームメモリ２２、及びＥＥＰＲＯＭ（Ｅｌｅｃｔｒｉｃａｌｌｙ  Ｅｒａｓａｂｌｅ  ＰＲＯＭ）２３を有する。第１のＣＰＵ２０は、後述する日付変換機能部２０Ｂと共に、装置全体を制御するためのシステムコントロール機能部２０Ａを有する。第１のＣＰＵ２０は、外部データインターフェース（Ｉ／Ｆ）５０に接続し、外部プリンタまたはパーソナルコンピュータなどに画像データを送信するための出力制御を実行する。また、第１のＣＰＵ２０は、キーマトリクスからなるキー入力装置５１に接続し、各種の入力操作を制御する。さらに、第１のＣＰＵ２０は、ＬＣＤ（Ｌｉｑｕｉｄ  Ｃｒｙｓｔａｌ  Ｄｉｓｐｌａｙ）表示回路５２を介してＬＣＤパネルからなる表示画面上に各種のモード表示を行う機能を備えている。なお、第１のＣＰＵ２０は電源回路６０を介して、装置内の各回路に対する電池６１からの電源供給を制御している。
【００１４】
第２のＣＰＵ２１（入力手段及び読出し手段）は、画像圧縮機能部２１Ａ、画像伸長機能部２１Ｂ、フレームメモリコントロール機能部２１Ｃ、及び記録媒体アクセス機能部２１Ｄを有する。画像圧縮機能部２１Ａは、フレームメモリ２２に格納された画像データに対する画像圧縮処理を実行する。画像伸長機能部２１Ｂは、記録媒体（メモリカード）３０から圧縮処理された画像データを伸長処理を実行する。フレームメモリコントロール機能部２１Ｃは、例えば１画面分の画像データを格納するフレームメモリ２２のアクセスを制御する。記録媒体アクセス機能部２１Ｄは、記録媒体インターフェース（Ｉ／Ｆ）３１を介して、交換型記録媒体であるメモリカード（例えばＥＥＰＲＯＭを実装しているＩＣメモリ）３０のアクセスを制御する。なお、同実施形態では、画像圧縮機能部２１Ａは必ずしも必要では無く、省略してもよい。
【００１５】
ＥＥＰＲＯＭ２３は、第１のＣＰＵ２０によりアクセス制御されて、前述の日付変換機能に必要な年齢関係情報（生年月日）や補正値テーブル情報（後述する）などを格納する。第１のＣＰＵ２０は、ＥＥＰＲＯＭ２３に格納された年齢関係情報を参照することにより、後述するように、日付変換処理を実行して履歴情報の生成処理を実行する。ここで、履歴情報とは、年齢、学年、年号のそれぞれを表示するための情報を意味する。
【００１６】
出力系４は、ＦＩＦＯ（Ｆｉｒｓｔ−ｉｎ  Ｆｉｒｓｔ−ｏｕｔ）メモリ４０、ビデオエンコード回路４１、ＴＦＴ液晶駆動回路４２、ＴＦＴパネル４３、バックライトユニット４４、ビデオ出力回路４５、及びビデオ出力端子４６を有する。
【００１７】
ＦＩＦＯメモリ４０は、第２のＣＰＵ２１の制御により、フレームメモリ２２から読出された画像データを格納し、ビデオエンコード回路４１に出力する。ビデオエンコード回路４１は、オンスクリーン回路を含み、ＦＩＦＯメモリ４０から出力される画像データ（ディジタル画像信号）にキャラクタデータを重畳した１画面分の画像データを出力する。ＴＦＴ液晶駆動回路４２は、ビデオエンコード回路４１からの出力に応じて、ＴＦＴパネル４３に画像を表示する（被写体像）。ＴＦＴパネル４３は、画像表示用画面を構成しており、バックライトユニット４４によりバックライト照明がなされている。ビデオ出力回路４５は、ビデオエンコード回路４１から出力された画像データをビデオ信号に変換して、ビデオ出力端子４６に出力する。ビデオ出力端子４６は、外部装置である例えばテレビジョン受信機が接続されると、ビデオ信号を出力する。
【００１８】
なお、本装置は、撮影系を備えた電子カメラに内蔵された電子アルバム機能に相当する構成でもよい。
【００１９】
（年齢・学年の表示処理）
以下図２及び図３のフローチャートを参照して、第１の実施形態に関係する画像再生動作を説明する。
【００２０】
まず、本発明の各実施形態において、図示しない電子カメラにより撮影された画像は、１画面単位の画像データとしてメモリカード３０に記録されていることを想定する。メモリカード３０には、画像データと共に、当該画像データを撮影した日付情報（年月日）も記録されている。第２のＣＰＵ２１は、記録媒体Ｉ／Ｆ３１を介してメモリカード３０から１画面分の画像データを読出して再生処理を実行するときに、当該画像データに対応する日付情報を第１のＣＰＵ２０に送出する。第１のＣＰＵ２０は、入力された日付情報を使用して、後述する日付変換処理を実行する。本装置は、当該メモリカード３０をセットされることにより、画像再生処理を実行する。
【００２１】
ここで、本装置では、ユーザによるキー入力装置５１の入力操作で、ユーザの生年月日を示す年齢関係情報が入力される（ステップＳ１）。第１のＣＰＵ２０は、入力された年齢関係情報（生年月日）をＥＥＰＲＯＭ２３に保存する（ステップＳ２）。
【００２２】
ユーザによりメモリカード３０が装着されて、キー入力装置５１の再生ボタンが操作されると、第２のＣＰＵ２１は、指定された画像データの再生処理を開始する（ステップＳ１０）。即ち、第２のＣＰＵ２１は、記録媒体Ｉ／Ｆ３１を介してメモリカード３０から１画面分の画像データを読出して、画像伸長機能部２１Ｂにより伸長処理した後にフレームメモリ２２に格納する。さらに、第２のＣＰＵ２１は、フレームメモリ２２から画像データを読出して、出力系４のＦＩＦＯメモリ４０、ビデオエンコード回路４１、及びＴＦＴ液晶駆動回路４２を介してＴＦＴパネル４３に表示出力する。
【００２３】
ここで、第１のＣＰＵ２０は、第２のＣＰＵ２１から再生した画像データに付加された日付情報（撮影情報）を入力すると共に、ＥＥＰＲＯＭ２３をアクセスして年齢関係情報（生年月日）が登録されているか否かを判定する（ステップＳ１１）。判定結果が肯定であれば、第１のＣＰＵ２０は、ＥＥＰＲＯＭ２３から生年月日情報を読出す（ステップＳ１２）。そして、第１のＣＰＵ２０は、読出した生年月日情報と、メモリカード３０から得られた日付情報（撮影情報）とを使用して日付変換機能部２０Ｂによる変換処理を実行する（ステップＳ１３）。即ち、再生対象の画像データの撮影時におけるユーザの年齢と学年を算出し、年齢情報と学年情報（履歴情報と総称する）を生成する。
【００２４】
ここで、学年情報とは、ユーザの年齢に対応する学校時代の学年を示す情報である。第１のＣＰＵ２０は、第２のＣＰＵ２１によりＴＦＴパネル４３上に再生出力された画像と共に、生成した履歴情報に基づいてユーザの年齢または学年を表示出力する（ステップＳ１４）。具体的には、図１３（Ａ）に示すように、ユーザに関係する画像（この場合はユーザ自身とする）と共に、ユーザの年齢「３５歳」が表示される。また、図１３（Ｂ）に示すように、ユーザに関係する画像（この場合はユーザ自身ではなく、ユーザの関係者のみとする）と共に、ユーザの学年「高校３年生」が表示される。
【００２５】
一方、ＥＥＰＲＯＭ２３には年齢関係情報（生年月日）が登録されていない場合、同実施形態では、第１のＣＰＵ２０は、メモリカード３０から得られた日付情報（撮影情報）とを使用した日付変換機能部２０Ｂの変換処理により、「年号」を生成する（ステップＳ１５）。即ち、再生対象の画像データの撮影時における年月日を年号表示に変換する。具体的には、図１４（Ｂ）に示すように、ユーザに関係する画像（この場合はユーザ自身とする）と共に、撮影時の年号「昭和５６年」が表示される。
【００２６】
以上のように同実施形態によれば、ユーザは、予め生年月日である年齢関係情報を入力（登録）することにより、メモリカード３０から撮影した画像を再生出力するときに、画像と共に撮影時のユーザの年齢または学年を表示することができる。従って、ユーザは、画像を撮影したときの単なる日付だけでなく、自身の履歴（年齢や学年）を直接的に認識できるため、撮影状況を具体的に想起することが可能となる。これにより、いわば高機能の電子アルバム機能を提供することが可能となる。なお、算出された学年や年齢の履歴情報を対応する画像データに付加して、メモリカード３０に記録してもよいし、またはＥＥＰＲＯＭ２３に各画像に対応して履歴情報を登録してもよい。いずれの方式でも、第１のＣＰＵ２０は、次回の画像再生処理では、前記の日付変換処理を実行すること無く、再生する画像と共に履歴情報を表示出力することができる。
【００２７】
（第２の実施形態）
前述の第１の実施形態における画像再生処理において、図４のフローチャートを参照して第２の実施形態に関係する表示モード選択処理を説明する。
【００２８】
本実施形態では、ユーザによるキー入力装置５１の入力操作で、選択された表示モードが入力される。ここで、表示モードとしては、西暦表示モード、和暦表示モード、年齢表示モード、学年表示モードを想定する。第１のＣＰＵ２０は、入力された表示モードを指示する情報をＥＥＰＲＯＭ２３に保存する。
【００２９】
次に、前述したように、第１のＣＰＵ２０は、第２のＣＰＵ２１によりＴＦＴパネル４３上に再生出力された画像と共に、ユーザの履歴情報を表示出力するときにＥＥＰＲＯＭ２３の表示モードを参照する。表示モードが西暦表示モードであれば、第１のＣＰＵ２０は、西暦表示モードによる表示出力を実行する（ステップＳ２０のＹＥＳ，Ｓ２１）。即ち、第１のＣＰＵ２０は、再生対象の画像データの撮影時における年月日を年号表示に変換し、図１４（Ａ）に示すように、ユーザに関係する画像（この場合はユーザ自身とする）と共に、撮影時の西暦年号「１９８６年」を表示する。
【００３０】
同様に、表示モードが和暦表示モードであれば、第１のＣＰＵ２０は、和暦表示モードによる表示出力を実行する（ステップＳ２２のＹＥＳ，Ｓ２３）。具体的には、図１４（Ｂ）に示すように、ユーザに関係する画像と共に、撮影時の和暦年号「昭和５６年」を表示する。また、表示モードが年齢表示モードであれば、第１のＣＰＵ２０は、年齢表示モードによる表示出力を実行する（ステップＳ２４のＹＥＳ，Ｓ２５）。即ち、第１のＣＰＵ２０は、ＴＦＴパネル４３上に再生出力された画像と共に、生成した履歴情報に基づいてユーザの年齢を表示出力する（図１３（Ａ）を参照）。さらに、表示モードが学年表示モードであれば、第１のＣＰＵ２０は、学年表示モードによる表示出力を実行する（ステップＳ２４のＮＯ，Ｓ２６）。即ち、第１のＣＰＵ２０は、ＴＦＴパネル４３上に再生出力された画像と共に、生成した履歴情報に基づいてユーザの学年を表示出力する（図１３（Ｂ）を参照）。
【００３１】
以上のように本実施形態によれば、キー入力装置５１の入力操作でユーザにより表示モードが選択されると、西暦表示モード、和暦表示モード、年齢表示モード、学年表示モードのいずれかが設定される。従って、ユーザに関係する画像を再生出力するときに、この画像と共に選択された表示モードに従って、ユーザの年齢や学年、または撮影時の年号を西暦や和暦により表示出力することが可能となる。
【００３２】
（第３の実施形態）
前述の第１の実施形態では、学年表示処理において、予め登録した生年月日である年齢関係情報と日付情報とを使用して、ユーザの履歴情報である学年情報が自動的に算出される。ここで、特に学年情報は、ユーザの履歴により規定の学年から外れた学年になる場合がある。具体的には、ユーザがある学年で留年したり、または学校を卒業して一旦社会人になった後に、再度学校に入学するような場合である。そこで、本実施形態は、実際の学年と算出された学年情報との誤差を修正するための補正機能に関するものである。以下図５のフローチャートを参照して説明する。
【００３３】
まず、ユーザがキー入力装置５１の入力操作で補正モードを指示すると、第１のＣＰＵ２０は、指定された画像データを再生処理して表示すると共に、前述の日付変換処理により得られた学年情報を表示出力する（ステップＳ３０）。具体的には、図１３（Ｂ）に示すように、ユーザに関係する画像と共に、ユーザの学年「高校３年生」が表示される。ここで、表示された学年情報が正しい情報であれば、ユーザにより確定情報が入力されると、第１のＣＰＵ２０は、当該学年情報を画像データに付加してメモリカード３０に保存する（ステップＳ３６）。または、当該学年情報をＥＥＰＲＯＭ２３に保存する。
【００３４】
一方、表示された学年情報が実際の学年とは異なる場合、ユーザにより補正値が入力されると、第１のＣＰＵ２０は、当該補正値で学年情報を修正する処理を実行する（ステップＳ３１〜Ｓ３３）。具体的には、例えばユーザが留年により本来から１年遅れて「高校２年生」の場合には、学年情報「高校３年生」を「高校２年生」に修正する。第１のＣＰＵ２０は、修正した学年情報「高校２年生」を表示し、ユーザにより確定されると、当該学年情報を保存する（ステップＳ３４〜Ｓ３６）。
【００３５】
以上のように、予め登録した生年月日である年齢関係情報と日付情報とを使用して、学年情報が自動的に算出する方式では、ユーザの留年などの履歴により算出された学年情報と実際の学年とが異なる場合がある。そこで、本実施形態の補正モードがあれば、ユーザが補正値を入力することにより、画像に付加する履歴情報である学年情報を実際の学年に修正して再登録することが可能となる。
【００３６】
（第３の実施形態の変形例１）
図６及び図９は、第３の実施形態の変形例１に関係する図である。
【００３７】
本変形例１は、前述の補正モードにおいて画像に付加される学年情報を補正した場合に、当該補正値により全ての画像に対応する学年情報を一度に補正する機能に関する。以下、主として図６のフローチャートを参照して説明する。
【００３８】
まず、本変形例１においても、ユーザがキー入力装置５１の入力操作で補正モードを指示すると、第１のＣＰＵ２０は、指定された画像データを再生処理して表示すると共に、前述の日付変換処理により得られた学年情報を表示出力する（ステップＳ４０）。ここで、表示された学年情報が実際の学年とは異なる場合、ユーザにより補正値が入力されると、第１のＣＰＵ２０は、当該補正値で学年情報を修正する処理を実行する（ステップＳ４１〜Ｓ４４）。
【００３９】
次に、本変形例１では、第１のＣＰＵ２０は、他の画像に対する補正データ（補正された学年情報）が既に存在するか否かを判定する（ステップＳ４６）。ここで、図９に示すような補正値テーブルが、ＥＥＰＲＯＭ２３に用意されていることを想定する。即ち、第１のＣＰＵ２０は、ＥＥＰＲＯＭ２３をアクセスして補正値テーブルを参照して、他の画像に対する補正データを読込む（ステップＳ４６のＹＥＳ，Ｓ４７）。この補正値テーブルにおいて、確定情報は、ユーザにより確定された学年情報を意味する。第１のＣＰＵ２０は、補正値テーブルを参照して確定情報が設定されている学年情報については補正しない。これにより、後述する全ての画像に対する学年情報を一度に補正する場合に、確定された画像の学年情報は補正から除かれる。
【００４０】
第１のＣＰＵ２０は、補正値テーブルを参照して得られた他の画像に対する補正データに基づいて、メモリカード３０に登録されている全画像データに対する学年情報を補正する（ステップＳ４８）。即ち、例えば図１３（Ｂ）に示すように、ある画像に対する学年情報「高校３年生」を「高校２年生」に修正した場合に、当該画像の日付情報に基づいて、他の画像に対する学年情報を一度に修正する。従って、例えば当該画像より１年前の画像に対する学年情報を、１年前の学年に修正する。また、他の画像に対する補正データが存在しない場合には、補正した１つの補正データに基づいて、メモリカード３０に登録されている全画像データに対する学年情報を補正する（ステップＳ４６のＮＯ，Ｓ５０）。即ち、例えば図１３（Ｂ）に示すように、ある画像に対する学年情報「高校３年生」を「高校２年生」に修正した場合に、当該画像の日付情報に一致する他の画像に対する学年情報を「高校２年生」として一度に修正する。第１のＣＰＵ２０は、補正した全画像に対する学年情報をメモリカード３０またはＥＥＰＲＯＭ２３に保存する（ステップＳ４９）。
【００４１】
以上のように本変形例であれば、補正モードにより画像に付加する履歴情報である学年情報を実際の学年に補正して再登録する場合に、当該補正値に基づいて全ての画像に対応する学年情報を一度に補正する。従って、登録された各画像毎に補正処理を実行すること無く、関係する全画像（例えば同一メモリカードに登録された画像）の学年情報を自動的に補正できる。なお、確定情報を設定する方式により、ユーザにより確定された学年情報については補正しないため、ユーザが指定した画像に対する学年情報をそのまま維持できる。
【００４２】
（第３の実施形態の変形例２）
図７は、第３の実施形態の変形例２に関係するフローチャートである。
【００４３】
本変形例２は、前述の補正モードにおいて、複数回の学年情報の補正を必要とする場合に、最小限の補正回数で正確な補正を実現する機能に関する。以下、具体的な処理について図７のフローチャートを参照して説明する。
【００４４】
まず、第１のＣＰＵ２０は、補正した全画像に対する学年情報をメモリカード３０また補正値（前述の確定情報を含む）を学校及び年代毎に分類・整理する処理を実行する（ステップＳ６０）。即ち、補正情報を学校（小・中・高校及び大学など）毎に分類し、それと共に年代別（例えば古い順）に整列する。この分類・整理結果から、第１のＣＰＵ２０は、補正値の無い年代をリストアップする（ステップＳ６１）。このリストアップ結果に基づいて、補正対象の画像の年代が補正されているか否かを判定する（ステップＳ６２）。
【００４５】
補正されている場合、第１のＣＰＵ２０は、同年代の補正値で学年情報を補正する（ステップＳ６３）。即ち、例えば１０代で学年情報「高校３年生」を「高校２年生」に補正している場合には、同年代の学年情報「中学２年生」を「中学１年生」に補正するような場合である。第１のＣＰＵ２０は、補正した学年情報を画像に付加してメモリカード３０に保存するか、またはＥＥＰＲＯＭ２３に保存する（ステップＳ６４）。
【００４６】
一方、ステップＳ６２の判定処理で補正されていない場合に、第１のＣＰＵ２０は、同じ学校（例えば小学校）で補正値が存在するか否かを判定する（ステップＳ６６）。補正値が存在する場合には、同じ学校の補正値で学年情報を補正する（ステップＳ６７）。即ち、例えば学年情報「小学校２年生」を「小学校１年生」に補正している場合には、この補正値に基づいて小学校６年生までの学年情報を補正する。ここで、補正値が存在しない場合には、当該学校時代より古い（以前の）学校の補正値が存在するか否かを判定する（ステップＳ６８）。ここで、古い学校とは、例えば中学に対して小学校を意味し、高校に対する中学を意味する。補正値が存在する場合には、当該古い学校の補正値で学年情報を補正する（ステップＳ６９）。また、補正値が存在しない場合には、新しい学校の補正値で学年情報を補正する（ステップＳ７０）。ここで、新しい学校とは、例えば小学校に対して中学を意味し、中学に対して高校を意味する。第１のＣＰＵ２０は、補正した学年情報を画像に付加してメモリカード３０に保存するか、またはＥＥＰＲＯＭ２３に保存する（ステップＳ６４）。このような処理を補正対象の全ての画像に対応する学年情報を補正するまで繰り返す（ステップＳ６５）。
【００４７】
以上のように本変形例であれば、複数回の学年情報の補正を必要とする場合に、最小限の補正回数で正確な補正を行なうことができる。即ち、例えば前回の補正で学年情報「小学校２年生」を「小学校１年生」に補正し、今回の補正で学年情報「高校３年生」を「高校２年生」に補正した場合に、例えば小学校６年生までの補正は前回の補正値に基づいて実行する。また、例えば中学校１年生からの補正は、今回の補正値に基づいて実行する。要するに、ユーザの履歴の中で、学校時代の各画像に対する学年情報を、必要最小限の補正回数で、かつ実際の学年に一致するように正確に補正することが可能となる。
【００４８】
（第４の実施形態）
図８は、第４の実施形態に関係するフローチャートである。本実施形態は、保存されている多数の画像を、ユーザの年齢または学年毎に自動的に分類する機能に関する。以下図８のフローチャートを参照して具体的に説明する。
【００４９】
まず、ユーザがキー入力装置５１の入力操作で自動分類モードを指示することにより、第１のＣＰＵ２０は自動分類処理を開始する。即ち、第１のＣＰＵ２０は、メモリカード３０から分類対象である全画像データを読出し、各画像データに付加されている撮影情報（具体的には日付情報）を取得する（ステップＳ８０）。さらに、第１のＣＰＵ２０は、ＥＥＰＲＯＭ２３から生年月日情報を読出す。
【００５０】
第１のＣＰＵ２０は、撮影情報に含まれる日付情報と生年月日情報とから前述の日付変換処理を実行し、ユーザの年齢や学年を各画像毎に算出する（ステップＳ８１）。次に、第１のＣＰＵ２０は、算出したユーザの年齢や学年で各画像データを分類するための管理テーブルを作成する（ステップＳ８２）。この作成した管理テーブルに基づいて、第１のＣＰＵ２０は、全画像の分類処理を実行する（ステップＳ８３）。
【００５１】
以上のような本実施形態の分類機能であれば、例えば１枚のメモリカード３０に保存された多数の画像を、ユーザの年齢や学年別に自動的に分類することができる。従って、ユーザは例えば中学生時代や大学生時代のように、学生時代別に記録した画像を再生することが可能となる。また、同様に例えば１０代や２０代のように、年齢別に記録した画像を再生することが可能となる。この場合、ただ単に例えば西暦年号「１９９９年」のように、画像の日付情報に基づいた年号による分類に対して、ユーザの年齢や学年による分類であるため、ユーザには撮影状況を具体的に想起することが可能となる。これにより、いわば高機能の電子アルバム機能を提供することが可能となる。
【００５２】
（第５の実施形態）
図１０は、第５の実施形態に関係するフローチャートである。本実施形態は、記録媒体（ここではメモリカード３０）毎に、ユーザ名や生年月日などの個人情報（ユーザ情報）を登録する機能に関する。以下図１０のフローチャートを参照して具体的に説明する。
【００５３】
まず、ユーザによりメモリカード３０が装着されると、前述したように、第２のＣＰＵ２１がメモリカード３０をアクセスして、画像データ及び関係情報を読出す。ここで、同実施形態では、第１のＣＰＵ２０は、第２のＣＰＵ２１から保存している画像データを管理するための管理情報を取得する（ステップＳ９０）。第１のＣＰＵ２０は、管理情報を参照して、ユーザに関する個人情報（ユーザ情報）が登録されているか否かを判定する（ステップＳ９１）。
【００５４】
当該個人情報が登録されていない場合に、第１のＣＰＵ２０は、例えばＬＣＤパネル５３上に、ユーザに対して個人情報の入力を促す。ここで、個人情報とは、ユーザ名及び生年月日を想定する。第１のＣＰＵ２０は、ユーザからキー入力装置５１により当該個人情報を入力されると、管理情報に登録してメモリカード３０に保存する（ステップＳ９２，Ｓ９３）。
【００５５】
以上のような本実施形態の機能であれば、記録媒体であるメモリカード３０毎に、ユーザの個人情報であるユーザ名と生年月日を登録することができる。従って、複数のユーザがそれぞれ、固有のメモリカード３０を使用することにより、本装置の電子アルバム機能を共用することが可能となる。換言すれば、本装置に挿入されたメモリカード３０の管理情報に登録されたユーザの個人情報に基づいて、同一の装置でユーザ毎のアルバム機能を実現することができる。
【００５６】
（第６の実施形態）
図１１は、第６の実施形態に関係するフローチャートである。本実施形態は、予めＥＥＰＲＯＭ２３に生年月日のような履歴情報を登録すること無く、画像単位に年齢または学年を記録する機能に関する。以下図１１のフローチャートを参照して具体的に説明する。
【００５７】
まず、ユーザによりメモリカード３０が装着されて、キー入力装置５１の操作により画像が選択されると、第２のＣＰＵ２１は、前述の一連の処理によりＴＦＴパネル４３上に選択された画像データを表示出力する（ステップＳ１００）。ここで、ユーザが選択した画像の日付情報から自身の年齢を、キー入力装置５１の操作により入力することを想定する（ステップＳ１０１）。
【００５８】
第１のＣＰＵ２０は、入力された年齢情報を画像データに付加して、メモリカード３０に保存する（ステップＳ１０２）。更に、第１のＣＰＵ２０は、入力された年齢情報に基づいて、メモリカード３０に保存されている他の画像データの日付情報に応じた年齢を算出する。同様に、算出した年齢情報を該当する画像データに付加して、メモリカード３０に保存する（ステップＳ１０３）。
【００５９】
なお、具体例として、選択した画像に年齢を入力する場合を想定したが、年齢の代わりに学年を入力して、画像データに学年情報を付加して保存する場合でもよい。
【００６０】
以上のような本実施形態の機能であれば、予め生年月日のような履歴情報をＥＥＰＲＯＭ２３に登録する必要は無く、ユーザは任意に選択した画像データの日付情報から年齢（又は学年）を計算して入力すればよい。これにより、選択した画像データには入力した年齢情報（学年情報）が付加されて保存される。さらに、メモリカード３０に保存されている他の各画像データに対しても、それぞれの日付情報と入力した年齢情報（学年情報）とから該当する年齢を算出することができる。従って、メモリカード３０に保存されている全ての画像データに対して年齢情報（学年情報）を付加することが可能となる。ユーザは、メモリカード３０から各画像を再生するときに、付加された年齢情報（学年情報）も同時に確認することができる。
【００６１】
なお、日付情報と入力した年齢情報とから、他の画像に対応する年齢情報を算出する場合に、生年月日情報を使用しないため、月により満年齢では１歳のずれが発生するが、前述の補正モードで補正すればよい。また、他の画像に対応する学年情報を算出する場合に、通常では学年は４月から変わるため、これを利用すれば正確に算出することができる。
【００６２】
（第６の実施形態の変形例）
図１２は、第６の実施形態の変形例に関係するフローチャートである。本変形例は、同実施形態において、日付情報と入力した年齢情報（学年情報）とから、他の画像に対応する年齢情報（学年情報）を算出する場合に、年齢（学年）の切換え条件（切換え月日）の設定機能に関する。以下図１２のフローチャートを参照して具体的に説明する。
【００６３】
ユーザによりキー入力装置５１の操作で、学年（年齢）の切換え条件の選択を入力することを想定する（ステップＳ１１０）。即ち、具体的には第１のＣＰＵ２０は、「４月１日」を切換え日として選択されると、４月１日で算出した学年（年齢）を切換える（ステップＳ１１１，Ｓ１１２）。即ち、具体例として、例えば選択した画像の日付情報が「３月１日」で、入力した学年情報（年齢情報）が「高校２年生」（１６歳）の場合を想定する。第１のＣＰＵ２０は、他の画像の日付情報が「４月１日」であれば、当該学年情報（年齢情報）を「高校３年生」（１７歳）として算出する。
【００６４】
以下同様にして、「１０月１日」を切換え日として選択されると、１０月１日で算出した学年（年齢）を切換える（ステップＳ１１３，Ｓ１１４）。また、「１月１日」を切換え日として選択されると、１月１日で算出した学年（年齢）を切換える（ステップＳ１１５，Ｓ１１６）。ここで、当然ながら、ユーザの生年月日を切換え日として設定してもよい（ステップＳ１１７）。
【００６５】
以上のように本変形例により、選択した画像の日付情報と入力した学年情報（年齢情報）とから、他の画像に対応する学年情報（年齢情報）を算出する場合に、ユーザから切換え条件として切換え月日を設定すれば、当該切換え月日を基準として正確な学年情報（年齢情報）を決定することが可能となる。
【００６６】
なお、本実施形態及び各変形例は、記憶媒体に格納されたソフトウエアをＣＰＵ（主として第１のＣＰＵ２０）が実行することにより実現することができる。記憶媒体は、メモリカード、ディスク記憶媒体、ＩＣメモリ（ＲＡＭ，ＲＯＭ，ＥＥＰＲＯＭなど）など、ＣＰＵが読取可能であればいずれでもよい。
【００６７】
【発明の効果】
以上詳述したように本発明によれば、画像データを再生出力する機能を備えた画像処理装置において、画像データ毎にユーザの履歴内容を具体的に表示できる情報を、面倒な入力作業を要すること無く自動的に生成できるようにして、画像データの管理に有効な再生出力機能を提供することができる。即ち、単なる撮影日付だけでなく、学年などの履歴情報を画像と共に再生できるため、撮影画像を管理できるいわば電子アルバム機能を備えた画像処理装置を実現することが可能となる。
【図面の簡単な説明】
【図１】本発明の各実施形態に関係する画像処理装置の要部を示すブロック図。
【図２】第１の実施形態に関係する年齢関係情報を入力する処理を説明するためのフローチャート。
【図３】同実施形態に関係する画像再生動作を説明するためのフローチャート。
【図４】第２の実施形態に関係する表示モード選択処理を説明するためのフローチャート。
【図５】第３の実施形態に関係する学年情報の補正処理を説明するためのフローチャート。
【図６】第３の実施形態の変形例１に関係するフローチャート。
【図７】第３の実施形態の変形例２に関係するフローチャート。
【図８】第４の実施形態に関係するフローチャート。
【図９】第３の実施形態の変形例１に関係する補正値テーブルを示す図。
【図１０】第５の実施形態に関係するフローチャート。
【図１１】第６の実施形態に関係するフローチャート。
【図１２】第６の実施形態の変形例に関係するフローチャート。
【図１３】各本実施形態に関係する画像表示出力の具体例を示す図。
【図１４】各本実施形態に関係する画像表示出力の具体例を示す図。
【符号の説明】
２…制御系
３…記録系
４…出力系
２０…第１のＣＰＵ
２１…第２のＣＰＵ
２１Ａ…画像圧縮機能部
２１Ｂ…画像伸長機能部
２１Ｃ…フレームメモリコントロール機能部
２１Ｄ…記録媒体アクセス機能部
２２…フレームメモリ
２３…ＥＥＰＲＯＭ（履歴情報）
３０…記録媒体（メモリカード）
３１…記録媒体インターフェース（Ｉ／Ｆ）
４０…ＦＩＦＯ（Ｆｉｒｓｔ−ｉｎ  Ｆｉｒｓｔ−ｏｕｔ）メモリ
４１…ビデオエンコード回路
４２…ＴＦＴ液晶駆動回路
４３…ＴＦＴパネル
４４…バックライトユニット
４５…ビデオ出力回路
４６…ビデオ出力端子
５１…キー入力装置
【図１】
0004183824.tif 000002
【図２】
0004183824.tif 000003
【図３】
0004183824.tif 000004
【図４】
0004183824.tif 000005
【図５】
0004183824.tif 000006
【図６】
0004183824.tif 000007
【図７】
0004183824.tif 000008
【図８】
0004183824.tif 000009
【図９】
0004183824.tif 000010
【図１０】
0004183824.tif 000011
【図１１】
0004183824.tif 000012
【図１２】
0004183824.tif 000013
【図１３】
0004183824.tif 000014
【図１４】
0004183824.tif 000015